(57)【要約】      （修正有）【課題】ハートカム機構あるいは回転カム機構を用いたプッシュロック機構は、構造が複雑となり、部品点数も多くなる。そのためスリム化が難しく、耐久性にも不安が残り、操作力の調整も困難であった。【解決手段】カム溝、を相対する円筒面上に構成した摺動軸４２と固定筒４１ａ、４１ｂをボール状カム４４で関連づけし、摺動軸４２と固定筒４１ａ、４１ｂの相対的な回動を規制することで、摺動軸４２を固定筒４１ａ、４１ｂに対して摺動させることにより、ボールカムがカム軸に沿って回動する。そのときの相対位置の変化を利用してプッシュロック機構を構成する。これにより、部品形状を簡易化し、寸法を小さくすることができるため、プッシュロック機構の小型化、スムーズな動きの確保が容易となる。【選択図】図５
2018066467.tif 000002
【特許請求の範囲】
【請求項１】
円筒状の固定筒と、それにかん合して固定筒に対して回動しない、摺動可能な摺動軸に、それぞれカム溝を備え、それと係合するボール状カムで構成されるプッシュロック機構。
【発明の詳細な説明】
【技術分野】
【０００１】  本発明は、携帯機器（スマートフォンまたはタブレット端末）等の筐体に収納される部品（アンテナまたはタッチペンなど付属装置、部品など）を引き出し、収納するために部品先端部に設けられたプッシュロック機構に関するものである。
【背景技術】
【０００２】  背景技術を説明するに当たり、本発明品がアンテナ先端に取り付けられた場合を想定して説明する。【０００３】  従来、携帯機器に搭載されるアンテナは、受信時の電波状況により、アンテナエレメントを収納した状態、または伸長した状態（アンテナを機器筐体から引き出した状態）で使用する。機器筐体には、アンテナを引き出すために指先等を引っかけるくぼみ、または隙間を設けている。そのため、不用意に指等がアンテナ先端に触れることがある。このとき、アンテナが中途半端に抜け出てしまうことがある。このとき、アンテナは機器との電気的接続が失われることもあり、その機能を満足できなくなる。また、これらのくぼみは外観デザインにも不利となる。これらを解消するために、隙間を極力小さくしているが、これがアンテナを引き出しにくくしている。【０００４】  これらの対策のため、アンテナ先端部にプッシュロック機構を設けているものがある。このプッシュロック機構は先端のプッシュボタンを押す毎に、プッシュボタンの飛び出し量が長くなったり、短くなったりを繰り返す機構で、これによりアンテナ引き出しの操作性を確保している。これらに搭載されるプッシュロック機構は、ハートカムを用いた方式および、回転カム方式が採用されている。従来よりこれらの機構は、アンテナのほか、プッシュロックスイッチまたはノック式ボールペン、小物入れの把手等に採用されているものと同種のものが採用されている。
【先行技術文献】
【０００５】
【特許文献】
【特許文献】  特開２０１３−１１３０７６  実開平５−６０８９１  公開実用  昭和５７−１５１７８２
【発明の概要】
【発明が解決しようとする課題】
【０００６】今般、携帯機器は薄型化が進んでおり、それに伴いアンテナのスリム化も要求されている。それに合わせて、プッシュロック機構も小型化が必要となる。また、音声、振動等による共鳴を防ぐため、プッシュロック機構には、びびり等があってはならない。【０００７】ハートカム方式で構成したとき、図３に示す様にカム溝を平面に構成することになる。そのため、プッシュロック機構の外径を小さくすることに限界がある。また、カムピン５３に相応の弾力性を持たせるため、カムピンのアーム長さを確保する必要がある。そのため、プッシュロック機構の全長も長くなってしまう。【０００８】回転カム方式で構成したとき、スムーズな回転を確保するため、カム同士は線接続での噛み合わせが必要となる。高度な部品技術が要求され、部品も複雑となり、スリム化に限界がある。また、カム厚みも薄くなり、強度を確保するため高価な材料を使う必要がある。さらにプッシュロックユニットのびびりを防ぐため、スプリングは少なくとも２個使う必要がある。図４に示す使用例で２個のスプリングは力が対抗する関係となるため、押し力のバランスが取りにくい欠点がある。【０００９】携帯機器のアンテナ３はホルダー２にて保持されている。この保持力はアンテナ操作性を考慮して、小さく設定されている。伸長、収納時の摺動力が小さいため、力のバランスが損なわれると、スムーズな収納が期待できなくなる。
【課題を解決するための手段】
【００１０】本発明は摺動軸４２および、固定筒４１ａ、４１ｂの相対する面の円周上にカム溝４１ｃ、４１ｄおよび、４２ｇを構成し、その溝にボール状カム（以下「ボールカム」とする）４４を係合させることにより立体的にプッシュロック機構４を構成する。摺動軸は固定筒に対して回転しない構造とする。【００１１】固定筒はケース４０に換装し固定する。また、摺動軸はケースとはクリアランスを設けることにより、抵抗なく摺動できる。プッシュボタン４５は摺動軸に固定し、摺動軸と一体となって摺動する。プッシュボタンは摺動軸と一体で形成しても良い。
【発明の効果】
【００１２】円筒状にカム溝を構成することにより、スペース効率が格段に改善されるため、外径寸法を小さくすることができる。これは、携帯機器の薄型化に有効である。【００１３】ボールカムはカム溝内を回転することにより、スムーズな摺動運動を確保できる。また、バネの組み合わせのバランスを気にする必要がなくなる。【００１４】本発明では構成部品点数が少なく、無駄なスペース（例えば、カムピンのバネ性を確保するための長さ確保、または、ガタ吸収のためのスプリング追加）が不要となるため、個々の部品を小型化することが可能となる。プッシュロック機構の全長、外径ともに小型化が容易となる。また、プッシュロック機構を安価に構成することができる。
【図面の簡単な説明】
【００１５】
【図１】  本考案の実施例。
【図２】  本考案の別の実施例（カム溝を図３に対して入れ替えた実施例）。
【図３】  従来のハートカム方式で構成した実施例。
【図４】  従来の回転カム方式で構成した実施例。
【図５】  図１の側面図および、断面図。
【図６】  部品４２の正面斜視図（４２ａ）および、背面斜視図（４２ｂ）。
【図７】  部品４１（ａ、ｂ）の斜視図。
【図８】  本考案実施例の断面図。
【図９】  カム溝４２ｇを平面展開したイメージ図。
【図１０】  カム溝４１ｃおよび、４１ｄを平面展開したイメージ図。
【図１１】  本考案の使用例（アンテナ収納時）。
【図１２】  本考案の使用例（アンテナ伸長時）。
【図１３】  図１０の部分拡大断面図（アンテナ収納時）。
【図１４】  図１２のアンテナ引き出し前（引き出し準備のためプッシュボタンの先端をＢ方向に押した後プッシュボタンが少し浮き出した状態）の部分拡大断面図。
【発明を実施するための形態】
【００１６】本発明に係わるプッシュロック機構の実施例を以下のように説明する。説明の便宜上、図５に示す矢印方向を上下と規定する。
【００１７】ケース４０にスプリング４３を装着する。摺動軸４２とプッシュボタン４５をかん合させ、摺動軸に形成されたカム溝４２ｇにボールカム４４を装着する。カム溝の深さはボールカムとのクリアランスを確保するため、最小幅の箇所でボールカムがガタがなく、スムーズに通過できる寸法にしている。同様に、カム溝４１ｃ、４１ｄを形成した固定筒４１ａ、４１ｂをボールカムが収まるように、摺動軸と組み合わせる。摺動軸は固定筒に対して回転しない構造とする。これを、前記スプリングを装着したケースに組み込む。固定筒をケースの所定位置で固定する（４０ａ）。また、プッシュボタンが所定の位置になるようにケースの上側を絞り込む（４０ｂ）。
【００１８】前記部品構成は代表的なものとし、部品の材料、構造等を考慮して、分割あるいは追加部品等で代用することもできる。
【００１９】ボールカムの移動方向を確実にするため、カム溝の関係を図９、図１０に示す。本発明では、ボールカムが摺動軸に同心円状の軌跡で一方向に回転することにより、所定のロック位置を確保する構造である。ボールカムの中心点を通る円筒を、平面に展開したイメージでカム溝の形態を以下に示す。
【００２０】４４ｃ、４４ｄ、４４ｅ、４４ｆをそれぞれ、ボールカムのピーク位置とする。４２ｃ、４２ｄ、４２ｅ、４２ｆをカム溝の変節点とする。カム溝の変節点とボールカムのピークとは、寸法Ｘだけシフトしている。このＸ値は、使用ボールの半径程度とすることでカムの移動方向を制御できる。対向するカム溝４１ｃ、４１ｄは変節点のない円環状とする。
【産業上の利用可能性】
【００２１】本発明は、携帯機器に搭載される収納・伸長式のアンテナ先端部に取り付け、アンテナの引き出しを容易にするために使われる。細径タイプのアンテナに対応できることから、携帯機器の薄型化に貢献できる。その他にも、アクセサリー収納脱着機構、電気機構部品のプッシュロックスイッチのロック機構、筆記具の芯出し・収納機構、小物入れのロック付き把手などに展開使用ができる。また、自動車内装の操作パネルに搭載されるロック式操作ボタン等への使用も可能である。
【符号の説明】
【００２２】１  携帯機器の筐体、３  アンテナエレメント（ａ  ｂ  ｃ）、４６  固定カム（ａ  ｂ）、４７  可動軸、５０  ケース、５１  固定カム（ハートカムで構成）  ５２  可動カム、５３  カムピン、５４  スプリング、５５  プッシュボタン  ６０  ケース、６１  回転カム、６２  カム軸、６３  カム筒、６４  スプリング、６５  スプリング、６６  プッシュボタン
【図１】
2018066467.tif 000003
【図２】
2018066467.tif 000004
【図３】
2018066467.tif 000005
【図４】
2018066467.tif 000006
【図５】
2018066467.tif 000007
【図６】
2018066467.tif 000008
【図７】
2018066467.tif 000009
【図８】
2018066467.tif 000010
【図９】
2018066467.tif 000011
【図１０】
2018066467.tif 000012
【図１１】
2018066467.tif 000013
【図１２】
2018066467.tif 000014
【図１３】
2018066467.tif 000015
【図１４】
2018066467.tif 000016